【事件の表示】
　商願２０１６−　６２９４２拒絶査定不服審判事件について、次のとおり審決する。
【結　論】
　本件審判の請求は、成り立たない。
【理　由】
第１　本願商標
　本願商標は、「頭ほぐし整体院」の文字を標準文字で表してなり、第４１類及び第４４類の願書記載の役務を指定役務として、平成２８年６月９日に登録出願されたものである。
　そして、その指定役務については、当審における同２９年８月４日受付の手続補正書をもって、第４４類「理容，美容，あん摩・マッサージ及び指圧，カイロプラクティック，きゅう，柔道整復，はり，美容に関するコンサルティング・指導・助言・情報提供，美容院用又は理髪店用の機械器具の貸与」と補正されたものである。
第２　原査定の拒絶の理由の要点
　原査定は、「本願商標は、『頭ほぐし整体院』の文字を標準文字で表してなるところ、その構成文字より『頭をほぐす整体院』程度の意味合いを容易に認識させるものである。そして、本願指定役務の分野において、頭をほぐす施術のことを『頭ほぐし』と称している実情、及び体の凝りなどをほぐす施術を行う整体院のことを、『○○ほぐし整体院』と称している実情が確認できる。そうすると、『頭ほぐし整体院』の文字を、その指定役務中『頭をほぐす施術を行う理容，頭をほぐす施術を行う美容，頭をほぐす施術を行うあん摩・マッサージ及び指圧，頭をほぐす施術を行うカイロプラクティック，頭をほぐす施術を行うきゅう，頭をほぐす施術を行う柔道整復，頭をほぐす施術を行うはり，頭をほぐす施術を行う美容に関するコンサルティング・指導・助言・情報提供』に使用しても、これに接する取引者、需要者は、『頭をほぐす整体院における役務』と理解するにとどまるから、本願商標は、単に役務の質（内容）、提供の場所を普通に用いられる方法で表示するにすぎないものである。したがって、本願商標を、前記指定役務に使用するときは、商標法第３条第１項第３号に該当し、前記指定役務以外の第４４類の指定役務に使用するときは、役務の質の誤認を生ずるおそれがあるから、同法第４条第１項第１６号に該当する。」旨認定、判断し、本願を拒絶したものである。
第３　当審の判断
１　商標法第３条第１項第３号該当性について
　本願商標は、「頭ほぐし整体院」の文字からなるところ、その構成中の「頭」の文字は、「首から上の部分」の意味を、「ほぐし」の文字は、「こり固まったものをやわらげる。」の意味を、「整体」の文字は、「手技によって骨格のゆがみや異常を整え、健康増進をはかる民間療法。」の意味を、「院」の文字は、「公共的な建物。宮殿・官舎の号。学校の名の下に添える語。特定の人々を収容する建物・施設。」等を意味する語（いずれも、「広辞苑第六版」株式会社岩波書店）として、それぞれ一般によく知られているものである。
　そうすると、本願商標は、その構成文字全体として、「頭のこり固まったものをやわらげる整体の施設」程の意味合いを容易に理解させるものである。
　ところで、本願の指定役務における「あん摩・マッサージ及び指圧」等の分野において、「頭ほぐし」及び「整体院」の文字が、原審の拒絶理由で示した使用例のほか、以下のインターネット情報のとおり使用されている実情がある。
（１）「頭ほぐし」の文字の使用について＜インターネット情報＞（下線は合議体による。以下同じ。）
ア　「ほぐし．ＣＯＭ」のウェブサイトにおいて、「頭ほぐし」の見出しの下、「
頭ほぐし
頭を丁寧にもみほぐす
頭ほぐし
頭をゆっくりと揉みほぐし
(http://www.ikebukuro-hogusi.com/14613010922879）
イ　「癒されサロン　ｍｉｙａｂｉ」のウェブサイトにおいて、「Ｈｅａｄ　Ｍａｓｓａｇｅ／
頭ほぐし
頭ほぐし
（http://www.miyabi-salon.com/head_massage.html)
ウ　「ＬＩＮＥＲＷＥＢ」のウェブサイトにおいて、「頭と体のほぐし専門店ｓｈｉｎ−ｓｈｉｎ」の見出しの下、「
頭ほぐし
頭ほぐし
（https://www.liner.jp/spot/3761/2284/)
エ　「オーガニック整体院」のウェブサイトにおいて、「
頭ほぐし
頭全体を芯までしっかりもみほぐす
(http://www.organic-seitai.jp/menu/)
オ　「ＨＯＴ　ＰＥＰＰＥＲ　Ｂｅａｕｔｙ」のウェブサイトにおいて、「ドライヘッドスパ専門店ｍｙｕ【ミュー】恵比寿」の見出しの下、「熟睡後の圧倒的爽快感［未知の気持ち良さ　ドライヘッドスパ／
頭ほぐし
頭の筋膜をほぐしていく
（https://beauty.hotpepper.jp/kr/slnH000399875/?cstt=2）
カ　「快眠
頭ほぐし
頭ほぐし
頭部の筋肉をほぐし
(https://www.kumononedoko.com/次世代脱力系ほぐしとは/）
キ　「整体院もみのき」のウェブサイトにおいて、「今話題の”ヘッドマッサージ（
頭ほぐし
頭をほぐし
(http://mominokitsukuba.web.fc2.com/)
ク　「ａｍｅｂｌｏ．ｊｐ」のウェブサイトにおいて、「頭ほぐし隠れ家サロン／水戸市河和田町」の見出しの下、「
頭ほぐし
頭は水もオイルも使わずに、手技だけでしっかりとほぐし
（https://ameblo.jp/cucuru12/entry-12125729915.html)
ケ　「ＨＯＴ　ＰＥＰＰＥＲ　Ｂｅａｕｔｙ」のウェブサイトにおいて、「頭ほぐし専門店　プラザ」の見出しの下、「
頭ほぐし
頭ほぐし
自慢の手技でガチガチに固まった頭も丁寧にほぐします
(https://beauty.hotpepper.jp/kr/slnH000399910/）
コ　「いばナビ」のウェブサイトにおいて、「
頭ほぐし
頭を中心にほぐす
(https://ibanavi.net/shop/9434/)
（２）「整体院」の文字の使用について＜インターネット情報＞
ア　「薬事法マーケティングの教科書」のウェブサイトにおいて、「接骨院・整骨院・整体院・カイロプラクティック・整形外科の違いとは？」の見出しの下、「
整体院
整体院
(https://yakujihou-marketing.net/archives/479)
イ　「痛み回復センター東京」のウェブサイトにおいて、「保険が使えるから安い？
整体院
整体院
整体院
(http://site.youtuu.tokyo/insurance)
ウ　「ＺＥＲＯ　ＭＥＤＩＣＡＬ」のウェブサイトにおける、「骨格矯正｜相模大野で手技による骨格矯正にこだわる吉田
整体院
(http://www.dr-yoshida-k.com/anatomy/)
エ　「大川カイロプラクティックセンター／にしおぎ
整体院
（http://nishiogi-seitai.jp/163346996）
オ　「ゆがみ専門
整体院
（http://www.relax-earth.com/）
カ　「ほぐし
整体院
(http://katakori-seitai-jin.com/)
キ　「
整体院
（http://mominokitsukuba.web.fc2.com/mominokiseitai.html）
ク　「なごみ
整体院
(https://nagomiseitai.jp/policy/skill/)
ケ　「あいしん
整体院
(http://www.asseitai.com/tec/shugi/)
　以上に記載した（１）及び（２）によれば、「頭ほぐし」を説明する内容として、例えば、「その頭を丁寧にもみほぐすことで極上のリラックスやかつてないスッキリ感がでてきます」、「頭の筋肉を揉みほぐし、骨のゆがみを整えることにより、血液・神経・リンパ液の流れを促進し、自立神経を整え、凝りやむくみのある頭皮を健康な弾力ある状態へ導きます。」、「頭の筋肉を揉みほぐす事で血液・神経・リンパ液の流れを促進し、コリ固まった頭皮やむくんでしまっている頭皮を健康的な弾力のある状態に導く施術を行います。」等の記載があることからすれば、該「頭ほぐし」の文字は、「頭をもみほぐす」程の意味合いを理解させるものである。
　また、「整体院」を説明する内容として、例えば、「整体院とは、・・・手技を用いた施術が行われる施術所を指します。」、「整体院とは／整体院とは、民間資格などをもった施術者が施術をおこなうところです。」の記載がされており、また、民間資格などをもった施術者の多くが、整体を行う施設の名称として、「○○整体院」の名称を使用していることからすれば、該「整体院」の文字は、「整体の施術を行う施設（場所）」程の意味合いを理解させるものである。
　そうすると、本願商標を構成する「頭ほぐし整体院」の文字からは、「頭をもみほぐす」程の意味合いを理解させる「頭ほぐし」の文字と、「整体の施術を行う施設（場所）」程の意味合いを理解させる「整体院」の文字とを組み合わせた記述的な語として理解されるものであって、本願商標の構成文字の全体からは、「頭をもみほぐす整体の施術を行う施設（場所）」程の意味合いを理解させるものである。
　してみれば、本願商標を、その指定役務中、「あん摩・マッサージ及び指圧，カイロプラクティック，きゅう，柔道整復，はり」に使用しても、これに接する取引者、需要者は、「頭をもみほぐす整体の施術を行う施設（場所）」であること、すなわち役務の提供の場所を表したものとして理解するにすぎず、自他役務の識別標識としては認識し得ないものであるから、本願商標は、役務の提供の場所を普通に用いられる方法で表示する標章のみからなる商標というのが相当である。
　したがって、本願商標は、その指定役務中「あん摩・マッサージ及び指圧，カイロプラクティック，きゅう，柔道整復，はり」については、商標法第３条第１項第３号に該当する。
２　請求人の主張について
（１）請求人は、「『頭ほぐし』の文字は、国語辞書である『デジタル大辞泉』、『ウィキペディアフリー百科事典』にも何ら記載がない余り親しみのない語であり、・・・インターネット情報１では、『頭ほぐし』の施術内容が、『ヘッドマッサージ』の意味合いを暗示しているが、インターネット情報２では、・・・『頭ほぐし』の施術内容の記載も示唆もないし・・・インターネット情報３では、マッサージをすることにより、深い睡眠状態に入って頭をスッキリさせる施術を暗示していることから、「頭ほぐし」の語は、いまだ漠然とした意味合いを想起させるにとどまるものであり、これをもって直ちに商品の品質、用途又は使用の時期を具体的かつ直接的に表したものと理解、認識させるとまではいい難いものである。さらに、『頭ほぐし整体院』の語全体からは、直ちに、店名または屋号の意味合いを表示するものとして、一般に理解・認識されているものとするのが自然である。してみれば、『頭ほぐし整体院』の構成文字全体からは、直ちに、特定の商品の品質、役務の質（内容）を直接的又は具体的に表示するものとして、一般に理解・認識されているものとはいい難い。」旨を主張している。
　しかしながら、上記１のとおり、指定役務中の「あん摩・マッサージ及び指圧，カイロプラクティック，きゅう，柔道整復，はり」のサービス分野においては、「頭を丁寧にもみほぐす」、「頭の筋肉を揉みほぐす」、「頭全体を芯までしっかりもみほぐす」等の具体的な施術を行う役務について、「頭ほぐし」の文字が普通に使用されている実情があることからすれば、取引者、需要者は、「頭ほぐし」の文字より、「頭をもみほぐす」程の意味合いを容易に理解するというのが相当である。
　また、「頭ほぐし整体院」の語が、店名または屋号の一部として使用される場合があるとしても、これが、店名または屋号の意味合いを表示し、自他役務の識別標識として機能しているとする証拠は提出されていない。
　そして、「頭ほぐし」及び「整体院」の文字は、それぞれ「あん摩・マッサージ及び指圧，カイロプラクティック，きゅう，柔道整復，はり」のサービス分野において、普通に使用されている語であって、それぞれの語の意味合いから、本願商標全体として、「頭をもみほぐす整体の施術を行う施設（場所）」程の意味合いを容易に認識させるものであるから、これを上記指定役務に使用しても、取引者、需要者をして、役務の提供の場所を表示したものとして認識されるにとどまるものである。
（２）請求人は、「出願人側において調査するも、『頭ほぐし整体院』の文字がその指定商品の品質・役務の質（内容）を表示するものとして、取引上普通に使用されている事実も見出せなかった。そうとすれば、本願商標は、これをいずれの指定商品・指定役務に使用しても、その商品の品質、役務の質（内容）を普通に用いられる方法で表示する標章のみからなる商標とはいえず、自他商品・役務の識別標識としての機能を果たし得るものであり、かつ、これをその指定商品・役務中のいずれの商品・役務に使用しても、商品の品質及び役務の質について誤認を生じさせるおそれもないというべきである。」旨を主張している。
　しかしながら、商標法第３条第１項第３号については、「商標法３条１項３号は、取引者、需要者に指定商品の品質等を示すものとして認識され得る表示態様の商標につき、それ故に登録を受けることができないとしたものであって、該表示態様が商品の品質を表すものとして必ず使用されるものであるとか、現実に使用されている等の事実は、同号の適用において必ずしも要求されないものと解すべきである。」（平成１２年（行ケ）第７６号、平成１２年９月４日 東京高等裁判所判決）と判示されているものである。
　してみれば、「頭ほぐし整体院」の文字が、指定役務の分野において、取引上普通に使用されていないとしても、該文字は、上記１のとおり、役務の提供の場所を表示したものとして、取引者、需要者に認識され得る構成態様からなる商標であるから、これを登録することはできないものである。
　したがって、請求人の上記主張は、いずれも採用することはできない。
３　まとめ
　以上のとおり、本願商標は、商標法第３条第１項第３号に該当し、登録することができない。
　よって、結論のとおり審決する。